(57)【特許請求の範囲】
【請求項１】
１フレームを分割して得られる第１および第２サブフレームそれぞれに対応する表示の総和によって入力階調を表示できるように、該入力階調に基づいて第１サブフレームの階調と該第１サブフレームの階調以上である第２サブフレームの階調とを生成する表示パネル駆動装置であって、
前フレームの入力階調よりも後フレームの入力階調が高くなるとともに該後フレームの入力階調が第１の閾値階調以上となるような応答に対しては、後フレームの入力階調に関わらず、後フレームにおける第１サブフレームの階調を第２の閾値階調以下に設定することを特徴とする表示パネル駆動装置。
【請求項２】
階調ＴＨおよび階調ＴＬが、第１の閾値階調＜階調ＴＨ、および階調ＴＬ＜階調ＴＨを満たすものとして、
前フレームの入力階調および後フレームの入力階調がともに階調ＴＨである応答では、後フレームにおける第１サブフレームの階調として階調ＴＨ１が出力され、
前フレームの入力階調がＴＬで後フレームの入力階調がＴＨである応答では、後フレームにおける第１サブフレームの階調として階調Ｔｈ１が出力され、
上記階調ＴＨ１およびＴｈ１は、Ｔｈ１≦第２の閾値階調、およびＴＨ１≧Ｔｈ１を満たすことを特徴とする請求項１記載の表示パネル駆動装置。
【請求項３】
上記第１の閾値階調は、全入力階調の中間に位置する階調よりも高いことを特徴とする請求項１記載の表示パネル駆動装置。
【請求項４】
上記第２の閾値階調は、２５６階調の内の３２階調以下であることを特徴とする請求項１記載の表示パネル駆動装置。
【請求項５】
上記第２の閾値階調は、２５６階調の内の１６階調であることを特徴とする請求項１記載の表示パネル駆動装置。
【請求項６】
上記応答においては、後フレームにおける第１サブフレームの階調に対応する輝度と前フレームにおける第１サブフレームの階調に対応する輝度との差が、この前フレームにおける第１サブフレームの階調に対応する輝度の１５パーセント以下であることを特徴とする請求項１記載の表示パネル駆動装置。
【請求項７】
上記応答においては、後フレームにおける第１サブフレームの階調に対応する輝度と前フレームにおける第１サブフレームの階調に対応する輝度との差が、この前フレームにおける第１サブフレームの階調に対応する輝度の５パーセント以下であることを特徴とする請求項１記載の表示パネル駆動装置。
【請求項８】
前フレームの入力階調および後フレームの入力階調を用いてサブフレーム算出用階調を生成し、このサブフレーム算出用階調を用いて、後フレームにおける第１および第２サブフレームの階調を生成することを特徴とする請求項１記載の表示パネル駆動装置。
【請求項９】
上記サブフレーム算出用階調は、後フレームの入力階調に階調遷移強調処理を施すことによって得られることを特徴とする請求項８記載の表示パネル駆動装置。
【請求項１０】
前フレームの入力階調および後フレームの入力階調の差が０もしくは所定値未満であれば、サブフレーム算出用階調として後フレームの入力階調を生成することを特徴とする請求項８記載の表示パネル駆動装置。
【請求項１１】
前フレームの入力階調および後フレームの入力階調の組み合わせとサブフレーム算出用階調とを対応付ける第１テーブルを備え、該第１テーブルに基づいて、サブフレーム算出用階調を生成することを特徴とする請求項１０記載の表示パネル駆動装置。
【請求項１２】
サブフレーム算出用階調と後フレームにおける第１サブフレームとを対応付ける第２テーブルを備え、該第２テーブルに基づいて、後フレームにおける第１サブフレームの階調を生成することを特徴とする請求項１１記載の表示パネル駆動装置。
【請求項１３】
サブフレーム算出用階調と後フレームにおける第２サブフレームとを対応付ける第３テーブルを備え、該第３テーブルに基づいて、後フレームにおける第２サブフレームの階調を生成することを特徴とする請求項１１記載の表示パネル駆動装置。
【請求項１４】
上記第１テーブルでは、前フレームの入力階調よりも後フレームの入力階調が高くなるとともに該後フレームの入力階調が第１の閾値階調以上となるような組み合わせには全て、同一の所定階調が対応付けられており、
前フレームおよび後フレームの入力階調が上記のような組み合わせであれば全て、サブフレーム算出用階調として上記所定階調を生成することを特徴とする請求項１２記載の表示パネル駆動装置。
【請求項１５】
上記第２テーブルでは、上記所定階調と第２の閾値階調とが対応付けられており、
サブフレーム算出用階調が該所定階調であれば、後フレームにおける第１サブフレームとして第２の閾値階調を生成することを特徴とする請求項１４記載の表示パネル駆動装置。
【請求項１６】
液晶パネルを駆動することを特徴とする請求項１〜１５のいずれか１項に記載の表示パネル駆動装置。
【請求項１７】
上記液晶パネルがノーマリブラックであることを特徴とする請求項１６記載の表示パネル駆動装置。
【請求項１８】
上記液晶パネルはｎ型垂直配向の液晶を備えることを特徴とする請求項１７記載の表示パネル駆動装置。
【請求項１９】
１フレームを分割して得られる第１〜第ｎサブフレームそれぞれに対応する表示の総和によって入力階調を表示できるように、該入力階調に基づいて第１〜第ｎサブフレームそれぞれの階調を生成する表示パネル駆動装置であって、
上記第１〜第ｎサブフレームを、少なくとも第１サブフレームを含む前半部と、少なくとも第ｎサブフレームを含む後半部とに分けるとともに、前半部の各サブフレームの階調よりも後半部の各サブフレームの階調を高く設定し、
前フレームの入力階調よりも後フレームの入力階調が高くなるとともに該後フレームの入力階調が第１の閾値階調以上となるような応答に対しては、後フレームの入力階調に関わらず、後フレームにおける前半部の各サブフレームの階調を第２の閾値階調以下に設定することを特徴とする表示パネル駆動装置。
【請求項２０】
１フレームを分割して得られる第１および第２サブフレームそれぞれに対応する表示の総和によって入力階調を表示できるように、該入力階調に基づいて第１サブフレームの階調と該第１サブフレームの階調よりも高い第２サブフレームの階調とを生成する表示パネル駆動方法であって、
前フレームの入力階調よりも後フレームの入力階調が高くなるとともに該後フレームの入力階調が第１の閾値階調以上となるような応答に対しては、後フレームの入力階調に関わらず、後フレームにおける第１サブフレームの階調を第２の閾値階調以下に設定することを特徴とする表示パネル駆動方法。
【請求項２１】
表示パネルと、請求項１〜１９のいずれか１項に記載の表示パネル駆動装置とを備えることを特徴とする表示装置。
【請求項２２】
請求項２１に記載の表示装置と、テレビジョン放送を受信するチューナ部とを備えていることを特徴とするテレビジョン受像機。
【発明の詳細な説明】
【技術分野】
【０００１】
本発明は、１フレームを複数のサブフレームに分割する時分割駆動に関する。
【背景技術】
【０００２】
１フレームを複数のサブフレーム（例えば、第１サブフレームと第２サブフレーム）に分割し、各サブフレームの表示の総和によって入力階調を表示する時分割駆動が提案されている（例えば、特許文献１参照）。【０００３】
図７は、各入力階調に対して第１サブフレームの階調および第２サブフレームの階調を決定するためのグラフである。図７のグラフでは、第１サブフレームを暗サブフレーム（輝度の低いサブフレーム）に、第２サブフレームを明サブフレーム（輝度の高いサブフレーム）とするために、各入力階調に対し、第１サブフレームの階調を第２サブフレームの階調以下に設定する。例えば、入力階調が１９２階調であれば、第１サブフレームの階調が５６階調に、第２サブフレームが２４９階調に設定する。また、入力階調が６４階調であれば、第１サブフレームの階調が４階調に、第２サブフレームが１５９階調に設定する。そして、各サブフレームの表示の総和によって入力階調（１９２階調や６４階調）の表示がなされる。【０００４】
図８は、このような時分割駆動による動画表示の一例を示すものであり、黒のバックグラウンドの中を、１９２階調のＸ領域および６４階調のＹ領域が隣接する画像（すなわち、高階調領域Ｘと低階調領域Ｙとが隣接し、各領域のエッジが連なるような画像）Ｐが右側に移動する場合を示している。【０００５】
この動画表示において、Ｘ領域では、第１サブフレームの階調が５６階調に、第２サブフレームが２４９階調に設定され、Ｙ領域では、第１サブフレームの階調が４階調に、第２サブフレームが１５９階調に設定される。この動画表示におけるサブフレームごとの表示を模式的に表すと図９のｓＦａ〜ｓＦｆのようになる。【０００６】
すなわち、画像Ｐにおける各領域（Ｘ・Ｙ）の右エッジは０階調からのライズ応答となるが、Ｘ領域では、第１サブフレームの階調が視認可能な５６階調である一方、Ｙ領域では、第１サブフレームの階調が視認不可能な４階調となっている。また、第２サブフレームについては、Ｘ領域では視認可能な２４９階調、Ｙ領域でも視認可能な１５９階調となっている。
【特許文献１】日本国公開特許公報「特開２００５−１７３５７３号公報（公開日：２００５年６月３０日）」
【発明の開示】
【０００７】
このため、図９に示すように、Ｘ領域では、各フレームにおいて右エッジの視認が第１サブフレーム（ｓＦａ・ｓＦｃ・ｓＦｅ）で開始される（実線矢印参照）一方、Ｙ領域では、各フレームにおいて右エッジの視認が第２サブフレーム（ｓＦｂ・ｓＦｄ・ｓＦｆ）で開始される（点線矢印参照）。すなわち、各フレームにおいて本来同時に視認が開始されるべきＸ・Ｙ領域の右エッジが、互いに１／２フレーム分ずれて（Ｙ領域の右エッジが遅れて）視認が開始されてしまう。このように、各領域Ｘ・Ｙの右エッジの視認開始タイミングがずれると、各領域における右エッジの時間的積分値がずれることになり、図１１のように視認されるべき画像Ｐの右エッジに、図１２に示すようなジャギが現れてしまう。
【０００８】
本発明は、上記課題に鑑みてなされたものであり、その目的は、表示パネルの動画表示品位を高めうる表示パネル駆動装置を提供する点にある。
【０００９】
本発明に係る表示パネル駆動装置は、１フレームを分割して得られる第１および第２サブフレームそれぞれに対応する表示の総和によって入力階調を表示できるように、該入力階調に基づいて第１サブフレームの階調と該第１サブフレームの階調以上である第２サブフレームの階調とを生成する表示パネル駆動装置であって、前フレームの入力階調より後フレームの入力階調が高くなるとともに該後フレームの入力階調が第１の閾値階調以上となるような応答に対しては、後フレームの入力階調に関わらず、後フレームにおける第１サブフレームの階調を第２の閾値階調以下に設定することを特徴とする。
【００１０】
上記構成によれば、例えば、高階調領域と低階調領域とが隣接するとともに各領域のエッジが連なるような画像が低階調のバックグラウンドの中を移動する動画表示において、高階調領域のエッジ（進行方向のエッジ）が第１サブフレームでほとんど視認されないようにすることができる。これにより、各フレームにおいて、高階調領域および低階調領域の各エッジの視認開始タイミングを一致させ、各エッジにおける輝度の時間的積分値を揃えることができる。これにより、従来このような表示で視認されていた動画エッジのジャギを大幅に低減することができ、表示パネルの動画表示品位を向上させることができる。
【００１１】
本表示パネル駆動装置においては、階調ＴＨおよび階調ＴＬが、第１の閾値階調＜階調ＴＨ、および階調ＴＬ＜階調ＴＨを満たすものとして、前フレームの入力階調および後フレームの入力階調がともに階調ＴＨである応答では、後フレームにおける第１サブフレームの階調として階調ＴＨ１が出力され、前フレームの入力階調がＴＬで後フレームの入力階調がＴＨである応答では、後フレームにおける第１サブフレームの階調として階調Ｔｈ１が出力され、上記階調ＴＨ１およびＴｈ１は、Ｔｈ１≦第２の閾値階調、およびＴＨ１≧Ｔｈ１を満たすことになる。
【００１２】
本表示パネル駆動装置においては、上記第１の閾値階調は、全入力階調の中間に位置する階調より高いことが好ましい。また、上記第２の閾値階調は、２５６階調の内の３２階調以下であることが好ましい。この場合、上記第２の閾値階調は、２５６階調の内の１６階調であることがより好ましい。
【００１３】
また、本表示パネル駆動装置においては、上記のような応答（前フレームの入力階調より後フレームの入力階調が高くなるとともに該後フレームの入力階調が第１の閾値階調以上となるような応答）においては、後フレームにおける第１サブフレームの階調に対応する輝度と前フレームにおける第１サブフレームの階調に対応する輝度との差が、この前フレームにおける第１サブフレームの階調に対応する輝度の１５パーセント以下であることが好ましい。なお、５パーセント以下であればより好ましい。こうすれば、上記のようなライズ応答における（前・後フレームでの）第１サブフレームの階調遷移量を小さくでき、後フレームにおける第１サブフレームが独立して視認されないように（視認されにくく）することができる。
【００１４】
本表示パネル駆動装置は、前フレームの入力階調および後フレームの入力階調を用いてサブフレーム算出用階調を生成し、このサブフレーム算出用階調を用いて、後フレームにおける第１および第２サブフレームの階調を生成するように構成することもできる。この場合、上記サブフレーム算出用階調は、後フレームの入力階調に階調遷移強調処理を施すことが好ましく、前フレームの入力階調および後フレームの入力階調の差が０もしくは所定値未満であれば、サブフレーム算出用階調として後フレームの入力階調を生成することが好ましい。
【００１５】
本表示パネル駆動装置においては、前フレームの入力階調および後フレームの入力階調の組み合わせとサブフレーム算出用階調とを対応付ける第１テーブルを備え、該第１テーブルに基づいて、サブフレーム算出用階調を生成しても良い。また、サブフレーム算出用階調と後フレームにおける第１サブフレームとを対応付ける第２テーブルを備え、該第２テーブルに基づいて、後フレームにおける第１サブフレームの階調を生成しても良い。また、サブフレーム算出用階調と後フレームにおける第２サブフレームとを対応付ける第３テーブルを備え、該第３テーブルに基づいて、後フレームにおける第２サブフレームの階調を生成しても良い。
【００１６】
上記構成において、上記第１テーブルでは、前フレームの入力階調より後フレームの入力階調が高くなるとともに該後フレームの入力階調が第１の閾値階調以上となるような組み合わせには全て、同一の所定階調が対応付けられており、前フレームおよび後フレームの入力階調が上記のような組み合わせであれば全て、サブフレーム算出用階調として上記所定階調を生成するように構成することができる。さらに、上記第２テーブルでは、上記所定階調と第２の閾値階調とが対応付けられており、サブフレーム算出用階調が該所定階調であれば、後フレームにおける第１サブフレームとして第２の閾値階調を生成するように構成することができる。
【００１７】
本発明の表示パネル駆動装置は、液晶パネルを駆動することが好ましい。この場合、上記液晶パネルがノーマリブラックであっても良い。また、上記液晶パネルはｎ型垂直配向の液晶を備えていても良い。
【００１８】
本発明の表示パネル駆動装置は、１フレームを分割して得られる第１〜第ｎサブフレームそれぞれに対応する表示の総和によって入力階調を表示できるように、該入力階調に基づいて第１〜第ｎサブフレームそれぞれの階調を生成する表示パネル駆動装置であって、
上記第１〜第ｎサブフレームを、少なくとも第１サブフレームを含む前半部と、少なくとも第ｎサブフレームを含む後半部とに分けるとともに、前半部の各サブフレームの階調より後半部の各サブフレームの階調を高く設定し、前フレームの入力階調より後フレームの入力階調が高くなるとともに該後フレームの入力階調が第１の閾値階調以上となるような応答に対しては、後フレームの入力階調に関わらず、後フレームにおける前半部の各サブフレームの階調を第２の閾値階調以下に設定することを特徴とする。
【００１９】
また、本発明の表示パネル駆動方法は、１フレームを分割して得られる第１および第２サブフレームそれぞれに対応する表示の総和によって入力階調を表示できるように、該入力階調に基づいて第１サブフレームの階調と該第１サブフレームの階調より高い第２サブフレームの階調とを生成する表示パネル駆動方法であって、前フレームの入力階調より後フレームの入力階調が高くなるとともに該後フレームの入力階調が第１の閾値階調以上となるような応答に対しては、後フレームの入力階調に関わらず、後フレームにおける第１サブフレームの階調を第２の閾値階調以下に設定することを特徴とする。
【００２０】
また、本発明の表示装置は、表示パネルと、上記表示パネル駆動装置とを備えることを特徴とする。
【００２１】
また、本発明のテレビジョン受像機は、上記表示装置と、テレビジョン放送を受信するチュ−ナ部とを備えていることを特徴とする。
【００２２】
以上のように、本発明の表示パネル駆動装置によれば、動画エッジのジャギを大幅に低減することができ、表示パネルの動画表示品位を向上させることができる。
【図面の簡単な説明】
【００２３】
【図１】本実施の形態に係る液晶表示装置の構成を示すブロック図である。
【図２】本実施の形態に係るＯＳ用ＬＵＴの一例を示す表である。
【図３】本実施の形態に係る第１サブフレームデータ用ＬＵＴおよび第２サブフレームデータ用ＬＵＴを示す表である。
【図４】動画表示の一例を示す模式図である。
【図５】図４の動画表示を行う場合に、本実施の形態でのサブフレーム表示を説明する模式図である。
【図６】図５のサブフレーム表示によって得られる（本実施の形態の）動画表示を示す模式図である。
【図７】時分割駆動において各サブフレーム階調の設定に用いるグラフである。
【図８】動画表示の一例を示す模式図である。
【図９】従来のサブフレーム表示（図８の動画表示の場合）を説明する模式図である。
【図１０】本実施の形態に係るテレビジョン受像機の構成を示すブロック図である。
【図１１】図８の動画表示の適切な例を説明する模式図である。
【図１２】図９のサブフレーム表示によって得られる、従来の動画表示を示す模式図である。
【符号の説明】
【００２４】
３  ソ−スドライバ
６  メモリ
９  信号処理部
１０  液晶パネル
１８  第１サブフレームデータ用ＬＵＴ
１９  第２サブフレームデータ用ＬＵＴ
２０  ＯＳ用ＬＵＴ
２２  サブフレームデータ生成部（液晶パネル駆動装置）
２３  階調補正部（液晶パネル駆動装置）
２５  サブフレームデータ選択部
３０  フレームメモリ
４０  フレームメモリ
８０  液晶表示装置
９０  テレビジョン受像機
ＤＦ  フレームデータ
ＤＦ（ｎ−１）  前フレームデータ
ＤＦｎ  後フレームデータ（現フレームデータ）
ＤＥＦｎ  サブフレーム算出用データ
ＤＳＦｎ１  第１サブフレームデータ
ＤＳＦｎ２  第２サブフレームデータ
【発明を実施するための最良の形態】
【００２５】
本実施の形態を図１〜図６および図１０に基づいて説明すれば、以下のとおりである。図１は本液晶表示装置の構成を示すブロック図である。同図に示すように、本液晶表示装置８０は、液晶パネル１０と、信号処理部９およびソースドライバ３を備える液晶パネル駆動装置（図示せず）とを備える。なお、液晶パネル１０とソ−スドライバ３とは一体化されていても構わない。信号処理部９は、メモリ６、サブフレームデータ生成部２２、サブフレームデータ選択部２５、およびフィールドカウンタ部３５を備える。ここで、メモリ（記憶部）６は、ＯＳ（オーバーシュート）用ＬＵＴ２０（第１テーブル）、第１サブフレームデータ用ＬＵＴ１８（第２テーブル）、第２サブフレームデータ用ＬＵＴ１９（第３テーブル）、フレームメモリ３０、およびフレームメモリ４０を備える。【００２６】
液晶パネル１０は、ノーマリブラックであることが好ましく、ｎ型垂直配向の液晶を備えていても良い。また、液晶パネル１０のガンマを２．２とする。【００２７】
信号処理部９には、フレームデータ（入力階調）ＤＦが６０〔Ｈｚ〕で入力される。そして、フレームメモリ３０には、前フレームのフレームデータＤＦ（ｎ−１）が１フレーム分格納される。【００２８】
階調補正部２３は、フレームメモリ３０から読み出した前フレームのフレームデータＤＦ（ｎ−１）と、後フレームのフレームデータＤＦｎとを用い、ＯＳ用ＬＵＴ２０を参照してサブフレーム算出用データＤＥＦｎを生成し、フレームメモリ４０に格納する。【００２９】
サブフレームデータ生成部２２は、フレームメモリ４０から、サブフレーム算出用データＤＥＦｎを倍速（１２０Ｈｚ）で読み出し、第１サブフレームデータ用ＬＵＴ１８を参照して第１サブフレームデータＤＳＦｎ１を生成するとともに、第２サブフレームデータ用ＬＵＴ１９を参照して第２サブフレームデータＤＳＦｎ２を生成する。【００３０】
この第１サブフレームデータＤＳＦｎ１および第２サブフレームデータＤＳＦｎ２はサブフレームデータ選択部２５に入力され、このサブフレームデータ選択部２５では、これらデータＤＳＦｎ１・ＤＳＦｎ２が１２０Ｈｚで入れ替わることになる。なお、フィ−ルドカウンタ部３５は、例えば、フレームメモリ４０からの出力をウォッチして、第１サブフレームのタイミングか、あるいは第２サブフレームのタイミングかを判定し、その判定結果をサブフレームデータ選択部２５に出力する。【００３１】
サブフレームデータ選択部２５は、フィ−ルドカウンタ部３５の判定結果に基づいて、第１サブフレームの開始タイミングで第１サブフレームデータＤＳＦｎ１をソ−スドライバ３に出力し、第２サブフレームの開始タイミングで第２サブフレームデータＤＳＦｎ２をソ−スドライバ３に出力する。【００３２】
ソ−スドライバ３は、各サブフレームデータ（ＤＳＦｎ１・ＤＳＦｎ２）をアナログの電位信号に変換し、この電位信号によって液晶パネル１０の各ソ−スライン（データ信号線）を駆動する。【００３３】
以下に、階調補正部２３によるサブフレーム算出用データ（ＤＥＦｎ）の生成についての一具体例を説明する。階調補正部２３では、前フレームのフレームデータＤＦ（ｎ−１）と、後フレームのフレームデータＤＦｎとを用いて、後フレームのフレームデータＤＦｎに遷移階調強調（オーバーシュート）処理を行うことで、サブフレーム算出用データＤＥＦｎを出力する。【００３４】
図２は、ＯＳ用ＬＵＴ２０の一例である。同図に示されるように、ＯＳ用ＬＵＴ２０には、フレームデータＤＦ（ｎ−１）（前フレームの入力階調）とフレームデータＤＦｎ（後フレームの入力階調）との組み合わせに応じたサブフレーム算出用データＤＥＦｎ（サブフレーム算出用階調）が書き込まれている。なお、図２に記載された組み合わせ以外については、例えば直線補間により求めることができる。【００３５】
ここで、ＯＳ用ＬＵＴ２０では、前フレームの入力階調より後フレームの入力階調が高くなるとともに該後フレームの入力階調が１６０階調（第１の閾値階調）以上となるような組み合わせには全て、サブフレーム算出用階調として、１５２階調（同一の所定階調）が対応付けられている。なお、前フレームの入力階調および後フレームの入力階調が同じとなる組み合わせには全て、サブフレーム算出用階調として、後フレームの入力階調が対応付けられている。【００３６】
例えば、前フレームの入力階調が０階調で後フレームの入力階調が６４階調であれば、サブフレーム算出用階調として７８階調が生成される。また、前フレームの入力階調が０階調で後フレームの入力階調が１９２階調であれば、サブフレーム算出用階調として１５２階調が生成され、前フレームの入力階調が３２階調で後フレームの入力階調が２２４階調であっても、サブフレーム算出用階調として１５２階調が生成される。なお、前フレームの入力階調が１９２階調で後フレームの入力階調が１９２階調であれば、サブフレーム算出用階調として１９２階調が生成される。【００３７】
次に、サブフレームデータ生成部２２による第１および第２サブフレームデータ（ＤＳＦｎ１・ＤＳＦｎ２）の生成についての一具体例を説明する。図３は、第１サブフレームデータ用ＬＵＴ１８の一例と、第２サブフレームデータ用ＬＵＴ１９の一例とをまとめて示した表である。すなわち、第１サブフレームデータ用ＬＵＴには、サブフレーム算出用データＤＥＦｎ（サブフレーム算出用階調）に応じた第１サブフレームデータＤＳＦｎ１（後フレームにおける第１サブフレームの階調）が書き込まれ、第２サブフレームデータ用ＬＵＴには、サブフレーム算出用データＤＥＦｎ（サブフレーム算出用階調）に応じた第２サブフレームデータＤＳＦｎ２（後フレームにおける第２サブフレームの階調）が書き込まれている。【００３８】
第１サブフレームデータ用ＬＵＴ１８および第２サブフレームデータ用ＬＵＴ１９では、常に第１サブフレームの階調より第２サブフレームの階調が高くなるように設定され、サブフレーム算出用階調が０〜１４５階調付近までは、第１サブフレームの階調はほとんど増加しない（０→１４階調程度の増加）一方で、第２サブフレームの階調は急激に増加（０→２３６階調程度の増加）し、サブフレーム算出用階調が１４５〜２５５階調付近までは、第１サブフレームの階調はほとんど増加しない（２３６→２５５階調程度の増加）一方で、第２サブフレームの階調は急激に増加（１４→２４０階調程度の増加）する。【００３９】
例えば、サブフレーム算出用階調が６４階調であれば、第１サブフレームの階調として４階調が生成され、第２サブフレームの階調として１５９階調が生成される。また、サブフレーム算出用階調が１２８階調であれば、第１サブフレームの階調として１０階調が生成され、第２サブフレームの階調として２３５階調が生成される。サブフレーム算出用階調が１５２階調であれば、第１サブフレームの階調として１６階調が生成され、第２サブフレームの階調として２３９階調が生成される。サブフレーム算出用階調が１７４階調であれば、第１サブフレームの階調として３２階調が生成され、第２サブフレームの階調として２４６階調が生成される。サブフレーム算出用階調が１９２階調であれば、第１サブフレームの階調として５６階調が生成され、第２サブフレームの階調として２４９階調が生成される。【００４０】
ここで、サブフレーム算出用階調が０〜１５２階調までは、第１サブフレームの階調が１６階調（第２の閾値階調）以下であるため第１サブフレームを独立に視認することはほぼできない。また、サブフレーム算出用階調が１５３〜１７５階調までは、第１サブフレームの階調が３２階調以下であるため第１サブフレームを独立に視認しにくい。しかし、サブフレーム算出用階調が１７６階調以上となると、第１サブフレームの階調が３２階調より高くなるため第１サブフレームを独立に視認しうる。【００４１】
このように、サブフレームデータ生成部２２おいては、階調ＴＨおよび階調ＴＬが、１６０階調（第１の閾値階調）＜階調ＴＨ、および階調ＴＬ＜階調ＴＨを満たすものとして、前フレームの入力階調および後フレームの入力階調がともに階調ＴＨである応答では、後フレームにおける第１サブフレームの階調として階調ＴＨ１が出力され、前フレームの入力階調がＴＬで後フレームの入力階調がＴＨである応答では、後フレームにおける第１サブフレームの階調として階調Ｔｈ１が出力され、上記階調ＴＨ１およびＴｈ１は、Ｔｈ１≦１６階調（第２の閾値階調）、およびＴＨ１≧Ｔｈ１を満たすことになる。なお、第２の閾値階調は３２階調まで上げることが可能であり、この場合、第１の閾値階調は１７４階調となる。このようにすれば、後フレームの入力階調が第１の閾値階調以上となるライズ応答においては、後フレームにおける第１サブフレームの階調に対応する輝度と前フレームにおける第１サブフレームの階調に対応する輝度との差が、前フレームにおける第１サブフレームの階調に対応する輝度の１５パーセント（好ましくは５パーセント）以下にすることができ、上記のライズ応答において後フレームにおける第１サブフレームが独立して視認されないように（視認されにくく）することができる。【００４２】
本実施の形態に係る信号処理部（階調補正部２３およびサブフレームデータ生成部２２等）によれば、以下のように、動画表示品位を高めることができる。【００４３】
図４は、本液晶表示装置による動画表示の一例を示すものであり、黒のバックグラウンドの中を、入力階調１９２階調のＸ領域および入力階調６４階調のＹ領域が隣接する画像（すなわち、高階調領域Ｘと低階調領域Ｙとが隣接するとともに各領域のエッジが連なるような画像）Ｐが図中右側に移動する場合を示している。この動画表示においては、Ｘ領域の右エッジ（進行方向のエッジ）では、０→１９２階調のライズ応答となり、Ｙ領域の右エッジ（進行方向のエッジ）では、０→６４階調のライズ応答となる。【００４４】
したがって、本実施の形態（図１の階調補正部２３およびサブフレームデータ生成部２２）によれば、Ｘ領域の右エッジでは、サブフレーム算出用階調として１５２階調が出力されることによって（図２参照）、第１サブフレームの階調が１６階調に、第２サブフレームが２３９階調に設定され（図３参照）、Ｙ領域の右エッジでは、サブフレーム算出用階調として７８階調が出力されることによって、第１サブフレームの階調が４階調に、第２サブフレームが１７８階調に設定される（図３参照）。【００４５】
この動画表示（３フレーム分）における各サブフレーム表示を模式的に表すと図５のＳＦａ〜ＳＦｆのようになる。すなわち、Ｘ領域の右エッジでは、第１サブフレームの階調が視認困難な１６階調であり、Ｙ領域の右エッジでも、第１サブフレームの階調が視認不可能な４階調となっている。【００４６】
これにより、図５に示すように、Ｘ領域では、各フレームにおいて右エッジの視認が第２サブフレーム（ＳＦｂ・ＳＦｄ・ＳＦｆ）で開始され（実線矢印参照）、Ｙ領域でも、各フレームにおいて右エッジの視認が第２サブフレーム（ｓＦｂ・ｓＦｄ・ｓＦｆ）で開始される（点線矢印参照）。すなわち、各フレームにおいてＸ・Ｙ領域の右エッジの視認開始が同時になされる。このように、各フレームにおいて領域Ｘ・Ｙの右エッジの視認開始タイミングを一致させることで、各領域のエッジにおける輝度の時間的積分値が揃い、画像Ｐの右エッジが図６のように適切に視認される。すなわち、本実施の形態によれば、従来視認されていた動画エッジのジャギ（図１２参照）を大幅に低減することができる。【００４７】
本実施の形態のテレビジョン受像機（液晶テレビ）は、図１０に示すように、本液晶表示装置８０と、テレビジョン放送を受信して映像信号を出力するチューナ部７０とを備える。すなわち、本テレビジョン受像機９０では、チューナ部７０から出力された映像信号に基づいて液晶表示装置８０が映像（画像）表示を行う。【００４８】
なお、図１における信号処理部９の各部の機能はハードウェアロジックで実現することができるが、ソフトウェアで実現することもできる。なお、本実施の形態では上記機能をＡＳＩＣによって実現している。
【産業上の利用可能性】
【００４９】
本発明の液晶パネル駆動装置およびこれを備えた液晶表示装置は、例えば液晶テレビに好適である。
【図１】
0004584333.tif 000002
【図２】
0004584333.tif 000003
【図３】
0004584333.tif 000004
【図４】
0004584333.tif 000005
【図５】
0004584333.tif 000006
【図６】
0004584333.tif 000007
【図７】
0004584333.tif 000008
【図８】
0004584333.tif 000009
【図９】
0004584333.tif 000010
【図１０】
0004584333.tif 000011
【図１１】
0004584333.tif 000012
【図１２】
0004584333.tif 000013